(57)【要約】【課題】既設杭から反力を取って地盤に杭を圧入する杭圧入装置を、杭ピッチが大きい杭列上でも安定して自走させ、同杭圧入装置により精度よく杭を圧入する。【解決手段】杭圧入装置１の前後方向にチャック装置３、中間のクランプ装置４Ａ，４Ｂ、後方のクランプ装置５が連結され、中間のクランプ装置及び後方のクランプ装置はそれぞれ、既設杭ＰＳの上端部を把持可能に構成され、チャック装置は圧入する杭Ｐ１を把持可能に構成される。チャック装置と中間のクランプ装置との相対的な昇降動作及び前後動作が可能にされ、中間のクランプ装置と後方のクランプ装置との相対的な昇降動作及び前後動作が可能にされる。地盤Ｇに圧入された杭Ｐ２をチャック装置により把持するとともに、後方のクランプ装置により既設杭ＰＳ３の上端を把持した状態で、中間のクランプ装置を既設杭から離脱させて前後に移動可能にされている。【選択図】図５
2020060024.tif 000002
【特許請求の範囲】
【請求項１】
既設杭から反力を取って地盤に杭を圧入する杭圧入装置であって、
当該杭圧入装置の前後方向にチャック装置、中間のクランプ装置、後方のクランプ装置が連結され、
前記中間のクランプ装置及び前記後方のクランプ装置はそれぞれ、既設杭の上端部を把持可能に構成され、
前記チャック装置は、圧入する杭を把持可能に構成され、
前記チャック装置と前記中間のクランプ装置との相対的な昇降動作及び前後動作が可能にされ、
前記中間のクランプ装置と前記後方のクランプ装置との相対的な昇降動作及び前後動作が可能にされ、
前記中間のクランプ装置及び前記後方のクランプ装置により既設杭の上端を把持した状態で、前記チャック装置が昇降することによって、前記チャック装置により把持した杭を地盤に圧入可能にされ、
地盤に圧入された杭を前記チャック装置により把持するとともに、前記後方のクランプ装置により既設杭の上端を把持した状態で、前記中間のクランプ装置を既設杭から離脱させて前後に移動可能にされた杭圧入装置。
【請求項２】
前記チャック装置、前記中間のクランプ装置及び前記後方のクランプ装置のいずれの装置も左右動作が可能にされている請求項１に記載の杭圧入装置。
【請求項３】
前記中間のクランプ装置は、前方側に配置される第１クランプ装置と、後方側に配置される第２クランプ装置との２つを備え、
前記第１クランプ装置と、前記第２クランプ装置との相対的な前後動作が可能にされた請求項１又は請求項２に記載の杭圧入装置。
【請求項４】
当該杭圧入装置の前後方向に長尺なサドルと、
前記サドルに前後動作可能に支持された第１スライドフレームと、
前記サドルに前後動作可能に支持された第２スライドフレームと、を備え、
前記サドルの下部に前記中間のクランプ装置が配設され、
前記チャック装置は、第１スライドフレーム上に旋回動作可能に立設されたマストに昇降可能に支持され、
前記後方のクランプ装置は、前記第２スライドフレームに昇降動作可能に支持された昇降フレームの下端に支持された請求項１から請求項３のうちいずれか一に記載の杭圧入装置。
【請求項５】
前記チャック装置、前記中間のクランプ装置及び前記後方のクランプ装置は、管状杭を把持対象として構成された請求項１から請求項４のうちいずれか一に記載の杭圧入装置。
【請求項６】
請求項１から請求項５のうちいずれか一に記載の杭圧入装置により、所定の杭ピッチで杭を地盤に圧入して杭列を施工しつつ、同杭列上を前進する杭圧入装置の杭上自走方法であって、
前記中間のクランプ装置及び前記後方のクランプ装置により既設杭の上端を把持した状態で、前記チャック装置により把持した杭を地盤に圧入することにより、前記中間のクランプ装置により把持する先頭既設杭より１杭ピッチ前方の杭と、２杭ピッチ前方の杭を圧入する圧入工程と、
前記２杭ピッチ前方の杭を前記チャック装置により把持するとともに、前記後方のクランプ装置により既設杭の上端を把持した状態で、前記中間のクランプ装置を既設杭から離脱させて前方に移動し、前記１杭ピッチ前方の杭の上端を前記中間のクランプ装置により把持させる中間部前進工程と、
前記後方のクランプ装置を既設杭から離脱させて前方に移動し、前記中間部移動工程において前記後方のクランプ装置により把持していた既設杭より１杭ピッチ前方の既設杭の上端を前記後方のクランプ装置により把持させる後方部前進工程と、を備える杭圧入装置の杭上自走方法。
【請求項７】
請求項５に記載の杭圧入装置により、管状杭を杭径の２倍上の所定の杭ピッチで地盤に圧入して飛び杭列を施工するとともに、前記チャック装置により矢板を把持可能にし、前記チャック装置に矢板を把持させて当該飛び杭列に並列した矢板連続壁を施工する矢板連続壁の構築方法。
【発明の詳細な説明】
【技術分野】
【０００１】
本発明は、杭圧入装置、杭圧入装置の杭上自走方法及び矢板連続壁の構築方法に関する。
【背景技術】
【０００２】
従来の杭圧入装置は、特許文献１，２等にも記載されるように、反力用の既設杭からなる杭列に対して機体を固定するサドルと、このサドルに内設する前後方向のスライド機構を介して設けた昇降動作可能な杭圧入引抜用のチャックとを備える。杭圧入装置は、サドルに設けたクランプによって既設杭を把持し、この既設杭を反力手段としてチャックにより杭列の先端に杭を圧入し、延びた杭列の上に機体を移動することによって杭列を順次延設する。機体を移動する手順は、杭列の先端の圧入途中の杭の高い部位をチャックによって把持し、クランプを緩めて機体を上昇させ、サドルに設けたスライド機構によって機体を前進させ、機体を下降させてクランプを締めることにより移動が終了する。この移動後の新たな位置で圧入途中の杭の圧入をさらに続ける。これを逆動作することにより、杭の引抜きが可能となる。
【０００３】
杭圧入装置による地盤への杭圧入施工により構築される杭列における杭ピッチは、杭と隣の杭とが接するように施工すれば１杭径相当となり、杭と隣の杭との間に１杭径相当の間隔を空ければ２杭径相当となる。
従来、２杭径以上の杭ピッチ（例えば杭径の２．５倍）で杭列を構築する際に、特許文献３に記載されるような杭頭に接続されるアダプタにより、杭と杭との間にも上記クランプにより把持可能な構造（特許文献３の係止部２）を設けて施工する方法がある。
【先行技術文献】
【特許文献】
【０００４】
【特許文献１】特開２０００−３１９８８０号公報
【特許文献２】特開２００４−１８３４４２号公報
【特許文献３】特開２０１３−２３８０３０号公報
【発明の概要】
【発明が解決しようとする課題】
【０００５】
しかしながら、上記アダプタを用いた杭上自走にあっては、杭圧入装置以外に当該アダプタが３つ程度必要になるから、管理し、取り扱う物品が増える。また上記アダプタは、異なる杭径、異なる杭ピッチやそれらの組合せの違いに対応するために複数種を製作し、使用する現場に応じて用意する必要があった。
杭列上に３つ程度のアダプタを連結し、杭圧入装置が通り過ぎた自走方向最後尾のアダプタを外し、自走方向先頭に送り、取り付けるという手順が必要になり、自走に伴う作業が煩雑であった。杭圧入装置に続いて、杭圧入装置に駆動力を供給するパワーユニットや杭の建て込みやアダプタの移動に用いるクレーンなどの杭上自走機を後続させる場合には、さらに杭列上に７つ程度のアダプタを連結する必要が生じた。
カーブした杭列を施工する際には、アダプタ同士を連結できず杭圧入装置の支持力が弱くなり、従って圧入時に耐え得る反力が小さくなるから、圧入力に制限が生じることがあった。
【０００６】
２杭径以上の杭ピッチ（例えば杭径の２．５倍）で杭列を構築する際に、上記アダプタを用いずに杭圧入装置の機能だけで自走可能にすることを考える。
しかし、杭圧入装置は、高い圧入力を得るために上記クランプを３つ程度設け、３本程度の既設杭を各クランプで把持する必要がある。この場合、杭ピッチが２杭径以上の杭ピッチであるから、３つのクランプを支持するサドルの全長が長くなり過ぎる。そのため、自走過程でチャックで把持した杭に杭圧入装置全体を支持させてサドル及びクランプを浮かせた状況において、チャックで把持した杭にかかる杭圧入装置の自重によるモーメントが大きくなる。杭圧入装置の自重によるモーメントが大きくなることで、圧入施工中の杭が傾斜して杭圧入精度に影響が出るおそれや、チャックで把持した杭に十分な支持力が無ければ杭圧入装置が転倒するおそれもある。
【０００７】
本発明は以上の従来技術における問題に鑑みてなされたものであって、既設杭から反力を取って地盤に杭を圧入する杭圧入装置を、杭ピッチが大きい杭列上でも杭圧入装置の自重によるモーメント、支持杭への負荷を小さくして安定して自走させ、同杭圧入装置により精度よく杭を圧入することを課題とする。
【課題を解決するための手段】
【０００８】
以上の課題を解決するための請求項１記載の発明は、既設杭から反力を取って地盤に杭を圧入する杭圧入装置であって、
当該杭圧入装置の前後方向にチャック装置、中間のクランプ装置、後方のクランプ装置が連結され、
前記中間のクランプ装置及び前記後方のクランプ装置はそれぞれ、既設杭の上端部を把持可能に構成され、
前記チャック装置は、圧入する杭を把持可能に構成され、
前記チャック装置と前記中間のクランプ装置との相対的な昇降動作及び前後動作が可能にされ、
前記中間のクランプ装置と前記後方のクランプ装置との相対的な昇降動作及び前後動作が可能にされ、
前記中間のクランプ装置及び前記後方のクランプ装置により既設杭の上端を把持した状態で、前記チャック装置が昇降することによって、前記チャック装置により把持した杭を地盤に圧入可能にされ、
地盤に圧入された杭を前記チャック装置により把持するとともに、前記後方のクランプ装置により既設杭の上端を把持した状態で、前記中間のクランプ装置を既設杭から離脱させて前後に移動可能にされた杭圧入装置である。
【０００９】
請求項２記載の発明は、前記チャック装置、前記中間のクランプ装置及び前記後方のクランプ装置のいずれの装置も左右動作が可能にされている請求項１に記載の杭圧入装置である。
【００１０】
請求項３記載の発明は、前記中間のクランプ装置は、前方側に配置される第１クランプ装置と、後方側に配置される第２クランプ装置との２つを備え、
前記第１クランプ装置と、前記第２クランプ装置との相対的な前後動作が可能にされた請求項１又は請求項２に記載の杭圧入装置である。
【００１１】
請求項４記載の発明は、当該杭圧入装置の前後方向に長尺なサドルと、
前記サドルに前後動作可能に支持された第１スライドフレームと、
前記サドルに前後動作可能に支持された第２スライドフレームと、を備え、
前記サドルの下部に前記中間のクランプ装置が配設され、
前記チャック装置は、第１スライドフレーム上に旋回動作可能に立設されたマストに昇降可能に支持され、
前記後方のクランプ装置は、前記第２スライドフレームに昇降動作可能に支持された昇降フレームの下端に支持された請求項１から請求項３のうちいずれか一に記載の杭圧入装置である。
【００１２】
請求項５記載の発明は、前記チャック装置、前記中間のクランプ装置及び前記後方のクランプ装置は、管状杭を把持対象として構成された請求項１から請求項４のうちいずれか一に記載の杭圧入装置である。
【００１３】
請求項６記載の発明は、請求項１から請求項５のうちいずれか一に記載の杭圧入装置により、所定の杭ピッチで杭を地盤に圧入して杭列を施工しつつ、同杭列上を前進する杭圧入装置の杭上自走方法であって、
前記中間のクランプ装置及び前記後方のクランプ装置により既設杭の上端を把持した状態で、前記チャック装置により把持した杭を地盤に圧入することにより、前記中間のクランプ装置により把持する先頭既設杭より１杭ピッチ前方の杭と、２杭ピッチ前方の杭を圧入する圧入工程と、
前記２杭ピッチ前方の杭を前記チャック装置により把持するとともに、前記後方のクランプ装置により既設杭の上端を把持した状態で、前記中間のクランプ装置を既設杭から離脱させて前方に移動し、前記１杭ピッチ前方の杭の上端を前記中間のクランプ装置により把持させる中間部前進工程と、
前記後方のクランプ装置を既設杭から離脱させて前方に移動し、前記中間部移動工程において前記後方のクランプ装置により把持していた既設杭より１杭ピッチ前方の既設杭の上端を前記後方のクランプ装置により把持させる後方部前進工程と、を備える杭圧入装置の杭上自走方法である。
【００１４】
請求項７記載の発明は、請求項５に記載の杭圧入装置により、管状杭を杭径の２倍上の所定の杭ピッチで地盤に圧入して飛び杭列を施工するとともに、前記チャック装置により矢板を把持可能にし、前記チャック装置に矢板を把持させて当該飛び杭列に並列した矢板連続壁を施工する矢板連続壁の構築方法である。
【発明の効果】
【００１５】
本発明によれば、前方のチャック装置と後方のクランプ装置とで杭圧入装置全体を前後両側で支持した状態で、中間のクランプ装置を含む中間部分の前進移動が可能であり、杭ピッチが大きい杭列上でも杭圧入装置を安定して自走させることができる。
同自走によれば、チャック装置で把持した杭に杭圧入装置の自重によるモーメントがかからないため、圧入施工中の杭が傾斜することがなく、同杭圧入装置により精度よく杭を圧入することができる。
【図面の簡単な説明】
【００１６】
【図１】本発明の一実施形態に係る杭圧入装置の右側面図であり、全長短縮状態を示す。
【図２】本発明の一実施形態に係る杭圧入装置の右側面図であり、全長伸長状態を示す。
【図３】本発明の一実施形態に係る杭圧入装置のクランプ装置の左右動作シリンダの軸を含む縦断面図であり、(a)はクランプ装置が右に寄った状態を、(b)はクランプ装置が左に寄った状態を示す。
【図４】本発明の一実施形態に係る杭圧入装置の杭圧入及び自走の過程を示す右側面図である。
【図５】本発明の一実施形態に係る杭圧入装置の杭圧入及び自走の過程を示す右側面図である。
【図６】本発明の一実施形態に係る杭圧入装置の杭圧入及び自走の過程を示す右側面図である。
【図７】本発明の一実施形態に係る杭圧入装置の上面図であり、カーブした杭列に対応した状態を示す。
【図８】本発明の一実施形態に係る杭圧入装置による矢板連続壁の構築方法の実施状況を示す上面図(a)及び右側面図(b)であり、鋼管杭圧入時を示す。
【図９】本発明の一実施形態に係る杭圧入装置による矢板連続壁の構築方法の実施状況を示す上面図(a)及び右側面図(b)であり、鋼矢板圧入時を示す。
【発明を実施するための形態】
【００１７】
以下に本発明の一実施形態につき図面を参照して説明する。以下は本発明の一実施形態であって本発明を限定するものではない。
【００１８】
〔杭圧入装置の概要〕
まず、杭圧入装置１につき図１から図５を参照して説明する。
図１、図２及び図３に示すように本実施形態の杭圧入装置１は、既設鋼管杭ＰＳから反力を取って地盤Ｇに鋼管杭（Ｐ１）を圧入する杭圧入装置であって、サドル２と、チャック装置３と、第１クランプ装置４Ａと、第２クランプ装置４Ｂと、第３クランプ装置５とを備える。
サドル２は各部を支持する本体メインフレームに相当し前後方向に長尺に形成されている。
第１クランプ装置４Ａ及び第２クランプ装置４Ｂが中間のクランプ装置に相当する。中間のクランプ装置４Ａ，４Ｂはサドル２の下部に配設されている。２つの中間のクランプ装置４Ａ，４Ｂは、前方側に配置される第１クランプ装置４Ａと、後方側に配置される第２クランプ装置４Ｂとからなる。
第３クランプ装置５が後方のクランプ装置に相当する。
杭圧入装置１の前後方向にチャック装置３、中間のクランプ装置４Ａ，４Ｂ、後方のクランプ装置５が連結された構成である。前方側から、チャック装置３、第１クランプ装置４Ａ、第２クランプ装置４Ｂ、第３クランプ装置５の順でこれらが配列する。
中間のクランプ装置４Ａ，４Ｂ及び後方のクランプ装置５はそれぞれ、既設鋼管杭ＰＳの上端部を把持可能に構成されている。
チャック装置３は、圧入する鋼管杭（Ｐ１）を外側から把持可能に構成されており、鋼管杭（Ｐ１）の任意の高さ位置を把持することができる。
クランプ装置４Ａ，４Ｂ，５は既設鋼管杭ＰＳ内に挿入した複数のクランプ部材を開くことで掴む把持機構であり、チャック装置３は鋼管杭（Ｐ１）を挿入する挿入部の中心に向かって複数のチャック部材を進退させる把持機構による。双方とも従来から利用されているものである。
【００１９】
サドル２からチャック装置３までの機械的構成は以下の通りである。
サドル２に第１スライドフレーム３１がシリンダ装置３２の駆動により前後動作可能に支持されている。第１スライドフレーム３１上に旋回動作可能にマスト３３が立設されている。マスト３３にチャックフレーム３５がシリンダ装置３４の駆動により昇降動作可能に支持されている。チャックフレーム３５にチャック装置３が設けられている。
【００２０】
サドル２からクランプ装置までの機械的構成は以下の通りである。
サドル２に第２スライドフレーム５１がシリンダ装置５２の駆動により前後動作可能に支持されている。第２スライドフレーム５１に昇降フレーム５４がシリンダ装置５３の駆動により昇降動作可能に支持されている。第３クランプ装置５は、昇降フレーム５４の下端に支持されており、サドル２より後方において中間のクランプ装置４Ａ，４Ｂと同じ低さに配置可能とされている。
【００２１】
サドル２に前後スライダー４１がシリンダ装置４２の駆動により前後動作可能に支持されている。前後スライダー４１に左右スライダー４３がシリンダ装置４４の駆動により左右動作可能に支持されている。第１クランプ装置４Ａ、第２クランプ装置４Ｂは、左右スライダー４３の下端に支持されている。
また第３クランプ装置５も左右動作機構に関して同様であり、昇降フレーム５４に左右スライダー５５がシリンダ装置５６の駆動により左右動作可能に支持されており、第３クランプ装置５は、左右スライダー５５に支持されている。
【００２２】
以上の機械的構成により、チャック装置３と中間のクランプ装置４Ａ，４Ｂとの相対的な昇降動作及び前後動作が可能にされ、中間のクランプ装置４Ａ，４Ｂと後方のクランプ装置５との相対的な昇降動作及び前後動作が可能にされている。
チャック装置３は、マスト３３の旋回動作により左右揺動動作が可能にされている。
したがって、チャック装置３、中間のクランプ装置４Ａ，４Ｂ及び後方のクランプ装置５のいずれの装置も左右動作が可能にされている。
また、第１クランプ装置４Ａと、第２クランプ装置４Ｂとの相対的な前後動作が可能にされている。
【００２３】
杭圧入装置１は、図１及び図４(a)に示すように、中間のクランプ装置４Ａ，４Ｂ及び後方のクランプ装置５により既設鋼管杭ＰＳの上端を把持した状態で、チャック装置３が昇降することによって、チャック装置３により把持した鋼管杭（Ｐ１）を地盤Ｇに圧入することができる。
チャック装置３により鋼管杭（Ｐ１）を把持し、シリンダ装置３４の駆動によりチャックフレーム３５及びチャック装置３を降下させることで、チャック装置３により把持している鋼管杭（Ｐ１）を押し下げ地盤に圧入する。また、チャック装置３の回転機能により、鋼管杭（Ｐ１）をその中心軸まわりに回転させながら押し下げ地盤に回転圧入することが可能である。
鋼管杭（Ｐ１）の圧入の進行に伴い、チャック装置３を開いて鋼管杭（Ｐ１）の把持を解除し、シリンダ装置３４の駆動によりチャックフレーム３５及びチャック装置３を上昇させ、鋼管杭（Ｐ１）の高い位置を把持し直し、さらに圧入又は回転圧入を続行し所望の深さまで鋼管杭（Ｐ１）を地盤Ｇに圧入することができる。
【００２４】
図５(a)の状態から図５(b)の状態への変化又は図５(b)の状態から図５(a)の状態への変化のように、地盤Ｇに圧入された鋼管杭（Ｐ２）をチャック装置３により把持するとともに、後方のクランプ装置５により既設鋼管杭ＰＳ３の上端を把持した状態で、中間のクランプ装置４Ａ，４Ｂを既設鋼管杭ＰＳ１，ＰＳ２から離脱させて前後に移動することできる。
【００２５】
〔杭圧入装置の杭上自走方法〕
次に、以上説明した動作機能を利用した杭圧入装置１の杭上自走方法につき図４から図６を参照して説明する。
図４(a)に示すように中間のクランプ装置４Ａ，４Ｂ及び後方のクランプ装置５により既設鋼管杭ＰＳ１，ＰＳ２，ＰＳ３の上端を把持した状態で、チャック装置３により把持した鋼管杭Ｐ１を地盤Ｇに圧入する。この鋼管杭Ｐ１を、中間のクランプ装置４Ａにより把持する先頭既設鋼管杭ＰＳ１と同レベルに押し下げ、鋼管杭Ｐ１の圧入施工を完了する。
鋼管杭Ｐ１の圧入施工完了後、シリンダ装置３２（図１，２参照）およびシリンダ装置５２（図１，２参照）の駆動によってマスト３３を１杭ピッチ前方に移動して、図４(b)に示すように鋼管杭Ｐ２をチャック装置３に挿入してチャック装置３により把持させる。
続いて図４(c)に示すようにチャック装置３により把持した鋼管杭Ｐ２を、所定の支持力が得られるまで地盤Ｇに圧入する。
【００２６】
次に中間部前進工程を図５(a)→図５(b)→図５(c)で示すように実行する。
すなわち、第１クランプ装置４Ａから２杭ピッチ前方の鋼管杭Ｐ２をチャック装置３により把持するとともに、後方のクランプ装置５により既設鋼管杭ＰＳ３の上端を把持した状態で、中間のクランプ装置４Ａ，４Ｂを既設鋼管杭ＰＳ１，ＰＳ２から離脱させて前方に移動し、１杭ピッチ前方の鋼管杭Ｐ１，ＰＳ１の上端を中間のクランプ装置４Ａ，４Ｂにより把持させる。（第１クランプ装置４Ａにより鋼管杭Ｐ１を把持させ、第２クランプ装置４Ｂにより鋼管杭ＰＳ１を把持させる。）
【００２７】
次に後方部前進工程を図６(a)→図６(b)→図６(c)で示すように実行する。
すなわち、後方のクランプ装置５を既設鋼管杭ＰＳ３から離脱させて前方に移動し、上記中間部移動工程において後方のクランプ装置５により把持していた既設鋼管杭ＰＳ３より１杭ピッチ前方の既設鋼管杭ＰＳ２の上端を後方のクランプ装置５により把持させる。
以上により図６(c)に示すように杭圧入装置１は、図４(a)と同じ装置形態であって、１杭ピッチ前進した状態となる。この状態で、チャック装置３により把持した鋼管杭Ｐ２の圧入を続行し、既設鋼管杭と同レベルに押し下げ、鋼管杭Ｐ２の圧入施工を完了する。しがたって、以上の過程を繰り返すことで、所定の杭ピッチで新たな鋼管杭を地盤Ｇに圧入して鋼管による杭列を施工しつつ、同杭列上を前進することができる。
【００２８】
〔杭ピッチ、カーブ施工への対応〕
以上説明した杭圧入装置１の動作機能によれば、第１クランプ装置４Ａ、第２クランプ装置４Ｂ、第３クランプ装置５の間隔を変えられるので、様々な杭ピッチに対応することができる。図は、杭径の２．５倍を杭ピッチとする飛び杭例を構築する場合を例とする。杭頭に接続されるアダプタを使用する必要もない。
また、チャック装置３、中間のクランプ装置４Ａ，４Ｂ及び後方のクランプ装置５のいずれの装置も左右動作が可能にされているので、図７に示すように杭列がカーブする施工にも対応可能である。
【００２９】
〔矢板連続壁の構築方法〕
次に以上説明した杭圧入装置１による矢板連続壁の構築方法につき図８及び図９を参照して説明する。
上述した要領で図８に示すように鋼管杭Ｐを杭径の２倍上の所定の杭ピッチで地盤Ｇに圧入して飛び杭列Ｐ，Ｐ・・・を施工する。
それとともに適時に、図９に示すようにチャック装置３に矢板把持アタッチメント６を把持させてチャック装置３により鋼矢板Ｓを把持可能にする。チャック装置３に矢板把持アタッチメント６を介して鋼矢板Ｓを把持させて当該飛び杭列Ｐ，Ｐ・・・に並列した矢板連続壁Ｓ，Ｓ・・・を施工する。
矢板把持アタッチメント６は、鋼矢板Ｓを把持する把持装置を含んでおり、外形はチャック装置３で把持できる形状、寸法とされている。したがって、チャック装置３に矢板把持アタッチメント６を把持させることで、杭圧入装置１が圧入する対象を鋼矢板Ｓとすることができる。又は鋼矢板Ｓを把持可能なチャック装置に交換することでチャック装置により鋼矢板Ｓを把持可能にしてもよい。
また、チャック装置３の回転機能により、矢板把持アタッチメント６により把持した鋼矢板Ｓの角度は変えられる。同回転機能とマスト３３の旋回機能を利用しつつ図９に示すように飛び杭列Ｐ，Ｐ・・・の側方にチャック装置３を振って、鋼矢板Ｓ，Ｓ同士を連結しつつ鋼矢板Ｓの圧入を実行する。
杭圧入装置１により飛び杭列Ｐ，Ｐ・・・を施工するとともに、適時に矢板把持アタッチメント６を適用して矢板連続壁Ｓ，Ｓ・・・も施工する。
飛び杭列Ｐ，Ｐ・・・と矢板連続壁Ｓ，Ｓ・・・とは、杭圧入装置１の後進が無いように、並行的に延設していくことが効率的である。
【００３０】
以上説明した実施形態の杭圧入装置によれば、前方のチャック装置３と後方のクランプ装置５とで杭圧入装置全体を前後両側で支持した状態で、中間のクランプ装置４Ａ，４Ｂを含む中間部分の前進移動が可能であり、杭ピッチが大きい杭列上でも杭圧入装置１を安定して自走させることができる。
同自走によれば、チャック装置３で把持した鋼管杭（Ｐ２）に杭圧入装置１の自重によるモーメントがかからないため、圧入施工中の杭が傾斜することがなく、同杭圧入装置１により精度よく杭を圧入することができる。
上述した杭頭に接続するアダプタを使用することなく、広い杭ピッチの杭上を自走することができる。
上述した杭頭に接続するアダプタを使用しないため、同アダプタを所定数、必要によりサイズ別の各種製作し現場には運び入れる、同アダプタを杭頭に設置する、杭圧入装置の移動に伴い同アダプタをクレーンで移動する、工事完了後同アダプタを撤収する等の労力、作業がすべて排除されるので、施工効率の向上、工期短縮、工費削減になる。
杭列の杭ピッチに対応して第１クランプ装置４Ａ、第２クランプ装置４Ｂ、第３クランプ装置５の前後方向の配列ピッチを変更することができ、自走できる杭列の杭ピッチの適用範囲が広い。
上述した杭頭に接続するアダプタを使用することなく、クランプ装置４Ａ，４Ｂ，５により既設杭の上端を把持するので、杭圧入装置１が施工可能な杭径であれば、圧入でき自走できるので、杭径についても適用範囲が広い。
上述したようにカープ施工やコーナー施工も可能である。
なお、以上の実施形態では鋼管杭に対応したものについて説明したが、適用する杭は鋼管杭に限定されるものではない。本発明はコンクリート杭（柱）など、モーメントが加わると折れやすい杭にも効果的である。
【符号の説明】
【００３１】
１     杭圧入装置
２     サドル
３     チャック装置
４Ａ   第１クランプ装置（中間のクランプ装置）
４Ｂ   第２クランプ装置（中間のクランプ装置）
５     第３クランプ装置（後方のクランプ装置）
６     矢板把持アタッチメント
３１   スライドフレーム
３２   シリンダ装置
３３   マスト
３４   シリンダ装置
３５   チャックフレーム
４１   前後スライダー
４２   シリンダ装置
４３   左右スライダー
４４   シリンダ装置
５１   スライドフレーム
５２   シリンダ装置
５３   シリンダ装置
５４   昇降フレーム
５５   左右スライダー
５６   シリンダ装置
Ｇ     地盤
Ｐ     鋼管杭
ＰＳ   既設鋼管杭
Ｓ     鋼矢板
【図１】
2020060024.tif 000003
【図２】
2020060024.tif 000004
【図３】
2020060024.tif 000005
【図４】
2020060024.tif 000006
【図５】
2020060024.tif 000007
【図６】
2020060024.tif 000008
【図７】
2020060024.tif 000009
【図８】
2020060024.tif 000010
【図９】
2020060024.tif 000011